(57)【要約】【課題】撮りたい被写体像を自動的に識別し、撮影者に撮影を促す。【解決手段】Ｓ１３では、レリーズボタン１２の半押しを検知する。Ｓ１４では、抽出された魚の映像部分と登録された魚の被写体像とが一致するか否かを判断する。両者が一致する場合はＳ１５、両者が一致しない場合はＳ１３に移行する。Ｓ１５では、抽出された魚の映像をＬＣＤ２２ａに拡大表示する。Ｓ１６では、レリーズボタン１２の全押しを検知する。Ｓ１７では、レリーズボタン１２の全押し検知に応じて取得された記録用画像データである元画像を、圧縮静止画像データとして記録メディア５０に記録する。【選択図】  図２
2008078802.tif 000002
【特許請求の範囲】
【請求項１】
ユーザの入力操作を受け付ける指示部と、撮影素子と、被写体像を前記撮影素子上に結像させる撮影レンズと、前記撮影素子から継続的に画像信号を得てデジタル画像データに変換する変換部と、前記変換部から継続的に出力される画像データに基づいて前記被写体像を表示する表示部と、前記指示部に撮影指示が入力されたことに応じて前記変換部から記録用の画像データである元画像を取得して記録する記録部と、を備える撮影装置であって、
所望の被写体像に関する情報を登録する登録部と、
前記継続的に得られる画像データと前記登録部の所望の被写体像に関する情報とを照合することで、前記所望の被写体像の画像データが得られているか否かを判断する判断部と、
前記判断部が前記所望の被写体像の画像データが得られていると判断したことに応じ、前記所望の被写体像を前記画像データから抽出する抽出部と、
を備え、
前記表示部は、前記抽出された被写体像を表示し、
前記指示部は、前記表示部に前記抽出された被写体像が表示された後、前記撮影指示の入力を受け付ける撮影装置。
【請求項２】
前記登録部は参照用の画像データを前記変換部から取得して登録し、
前記参照用の画像データに基づいて色温度分布を解析し、前記色温度分布に基づいて前記元画像の色を補正する補正部と、
をさらに備え、
前記記録部は、前記撮影指示に応じ、前記補正部により色の補正された元画像である補正済元画像を記録する請求項１に記載の撮影装置。
【請求項３】
前記補正部は、前記色温度分布に基づいて前記参照用の画像データを補正し、
前記表示部は、前記補正部の補正した前記参照用の画像データを表示する請求項２に記載の撮影装置。
【請求項４】
前記記録部は、前記撮影指示に応じ、前記補正部により色の補正されていない元画像である未補正元画像と、前記補正済元画像とを関連づけて記録する請求項２または３に記載の撮影装置。
【請求項５】
前記記録部は、前記未補正元画像と前記補正済元画像のファイル名の少なくとも一部に共通の文字を付与するか、または両者を同一のフォルダに格納することにより、両者を関連づけて記録する請求項４に記載の撮影装置。
【請求項６】
前記表示部は、前記元画像を区分する所定の複数の区域のうち、前記被写体像の抽出区域に対し、点滅、反転、枠囲みその他特定の表示効果を付与することで、前記被写体像の抽出区域を強調して表示し、
前記指示部は、前記被写体像の抽出区域の指定に基づいて前記被写体像の指定を受け付ける請求項１〜５のいずれかに記載の撮影装置。
【請求項７】
前記表示部は、前記指示部から前記被写体像の１回目の指定がされた場合、前記被写体像の抽出区域を拡大して表示し、
前記記録部は、所定時間内に、前記指示部から前記被写体像の２回目の指定がされた場合、前記元画像の記録を開始する請求項６に記載の撮影装置。
【請求項８】
前記拡大して表示された前記被写体像の抽出区域を前記画像データからトリミングするトリミング部をさらに備え、
前記記録部は、前記トリミング部のトリミングした被写体像の抽出区域を、前記被写体像の抽出区域のトリミング元となった元画像と関連づけて記録する請求項７に記載の撮影装置。
【請求項９】
前記記録部は、前記指示部から前記被写体像の２回目の指定が開始された場合、連続的な元画像の記録を開始するとともに、前記指示部から前記被写体像の３回目の指定がされた場合、前記連続的な元画像の記録を終了する請求項７または８に記載の撮影装置。
【請求項１０】
前記表示部は、前記記録部に連続的に記録された元画像を同一画面に並べて表示し、
前記同一画面に並べて表示された元画像のうち、ユーザ操作に基づいて所望の元画像を選択する選択部をさらに備え、
前記表示部は、前記選択部の選択した元画像に対し、点滅、反転、枠囲みその他特定の表示効果を付与することで強調して表示し、
前記記録部は、前記選択部の選択した元画像を記録する請求項９に記載の撮影装置。
【請求項１１】
前記表示部は、前記連続的に記録された元画像のうち、前記被写体像を含み、かつ前記被写体像の面積の大きいものから強調して表示する請求項１０に記載の撮影装置。
【請求項１２】
所望の被写体像に関する情報を登録するステップと、
継続的に得られる画像データと前記所望の被写体像に関する情報とを照合することで、前記所望の被写体像の画像データが得られているか否かを判断するステップと、
前記所望の被写体像の画像データが得られていると判断されたことに応じ、前記所望の被写体像を前記画像データから抽出するステップと、
前記抽出された被写体像を表示するステップと、
前記表示された前記被写体像の指定を受け付けることによって前記画像データを記録するステップと、
を含む撮影方法。
【発明の詳細な説明】
【技術分野】
【０００１】
本発明は撮影すべき所望の被写体像に関する情報を登録可能な撮影装置に関する。
【背景技術】
【０００２】
特許文献１によるデジタル図鑑システムは、画像を連続して撮像する撮像手段と、連続して撮像された各々の画像の中から主要被写体を選択する主要被写体選択手段と、連続して撮像された各々の画像における主要被写体の大きさの変化、および、撮像手段の画角内における主要被写体の位置の変化に基づいて、主要被写体の移動方向を算出する移動方向算出手段と、被写体の特徴に対応付けて被写体の名称を格納する画像データベースから、主要被写体選択手段によって選択された主要被写体、および移動方向に基づいて、主要被写体の名称を検索する名称検索手段とを備えている。
【特許文献１】特開２００５−２６９６０５号公報
【発明の開示】
【発明が解決しようとする課題】
【０００３】
特許文献１では、撮影後に主要被写体を選択することができるが、撮影する前に所望の被写体が画角に捉えられているかを知ることはできない。
【０００４】
本発明はこのような問題点に鑑みてなされたもので、撮りたい被写体像を自動的に識別し、撮影者に撮影を促すことを目的とする。
【課題を解決するための手段】
【０００５】
本発明に係る撮影装置は、ユーザの入力操作を受け付ける指示部と、撮影素子と、被写体像を撮影素子上に結像させる撮影レンズと、撮影素子から継続的に画像信号を得てデジタル画像データに変換する変換部と、変換部から継続的に出力される画像データに基づいて被写体像を表示する表示部と、指示部に撮影指示が入力されたことに応じて変換部から記録用の画像データである元画像を取得して記録する記録部と、を備える。
【０００６】
この撮影装置は、所望の被写体像に関する情報を登録する登録部と、継続的に得られる画像データと登録部の所望の被写体像に関する情報とを照合することで、所望の被写体像の画像データが得られているか否かを判断する判断部と、判断部が所望の被写体像の画像データが得られていると判断したことに応じ、所望の被写体像を画像データから抽出する抽出部と、を備え、指示部は、表示部に抽出された被写体像が表示された後、撮影指示の入力を受け付ける。
【０００７】
この発明によると、撮影の開始前、撮影素子から継続的に得られる被写体像の画像データ（いわゆるスルー画像）と、所望の被写体像に関する情報とを照合することで、所望の被写体像の画像データが得られているか否かを判断し、この画像データが得られている場合は、その被写体像を画像データから抽出して表示する。ユーザはこれを見て、所望の被写体像の画像データが得られていることを確認できる。そして、所望の被写体像が確認できれば、レリーズボタンを全押したり、あるいは表示されている所望の被写体像をタッチ指示することで、撮影指示を入力し、所望の被写体の画像データを記録することができる。
【０００８】
本発明では従来技術と異なり、撮影前に所望の被写体の画像データが得られているか否かをユーザが視覚的に確認できるし、またこの確認結果に応じて任意に画像データ記録の許否を決定できる。
【０００９】
登録部は参照用の画像データを変換部から取得して登録し、参照用の画像データに基づいて色温度分布を解析し、色温度分布に基づいて元画像の色を補正する補正部と、をさらに備え、記録部は、撮影指示に応じ、補正部により色の補正された元画像である補正済元画像を記録するようにしてもよい。
【００１０】
補正部は、色温度分布に基づいて参照用の画像データを補正し、表示部は、補正部の補正した参照用の画像データを表示するようにしてもよい。
【００１１】
こうすると、色補正のイメージがつきやすく、実際に記録した元画像の色補正がユーザの意図に沿っていることが期待される。
【００１２】
記録部は、撮影指示に応じ、補正部により色の補正されていない元画像である未補正元画像と、補正済元画像とを関連づけて記録するとよい。
【００１３】
こうすると、ユーザが、未補正元画像、補正済元画像のいずれも任意に選択して使用できる。
【００１４】
記録部は、未補正元画像と補正済元画像のファイル名の少なくとも一部に共通の文字を付与するか、または両者を同一のフォルダに格納することにより、両者を関連づけて記録するとよい。
【００１５】
表示部は、元画像を区分する所定の複数の区域のうち、被写体像の抽出区域に対し、点滅、反転、枠囲みその他特定の表示効果を付与することで、被写体像の抽出区域を強調して表示し、指示部は、被写体像の抽出区域の指定に基づいて被写体像の指定を受け付けるとよい。
【００１６】
被写体像の抽出区域を指定させるようにすれば、水中など操作の指定がしにくい場面であっても、容易に被写体像の指定が可能となる。
【００１７】
表示部は、指示部から被写体像の１回目の指定がされた場合、被写体像の抽出区域を拡大して表示し、記録部は、所定時間内に、指示部から被写体像の２回目の指定がされた場合、元画像の記録を開始するとよい。
【００１８】
こうすると、抽出された被写体像が、実際にユーザの意図する被写体像であるのか、目視による確認が容易であるし、その後の撮影指示も容易である。
【００１９】
拡大して表示された被写体像の抽出区域を画像データからトリミングするトリミング部をさらに備え、記録部は、トリミング部のトリミングした被写体像の抽出区域を、被写体像の抽出区域のトリミング元となった元画像と関連づけて記録するとよい。
【００２０】
こうすると、どのような被写体像の撮影を意図していたのかを、後で想起しやすい。
【００２１】
記録部は、指示部から被写体像の２回目の指定が開始された場合、連続的な元画像の記録を開始するとともに、指示部から被写体像の３回目の指定がされた場合、連続的な元画像の記録を終了するとよい。
【００２２】
動きの素早い魚や運動選手を撮影する場合は、１回１回どれもいいアングルで撮影できないことがあるから、被写体像を指定することで自動的に連写を開始および終了するとよい。
【００２３】
表示部は、記録部に連続的に記録された元画像を同一画面に並べて表示し、同一画面に並べて表示された元画像のうち、ユーザ操作に基づいて所望の元画像を選択する選択部をさらに備え、表示部は、選択部の選択した元画像に対し、点滅、反転、枠囲みその他特定の表示効果を付与することで強調して表示し、記録部は、選択部の選択した元画像を記録するとよい。
【００２４】
こうすると、連写した画像の中で、ユーザの残したい画像だけを取捨選択して記録することが容易にできる。
【００２５】
表示部は、連続的に記録された元画像のうち、被写体像を含み、かつ被写体像の面積の大きいものから強調して表示するとよい。
【００２６】
こうすると、大きい被写体像を選択して記録することが容易になる。
【００２７】
本発明に係る撮影方法は、所望の被写体像に関する情報を登録するステップと、継続的に得られる画像データと所望の被写体像に関する情報とを照合することで、所望の被写体像の画像データが得られているか否かを判断するステップと、所望の被写体像の画像データが得られていると判断されたことに応じ、所望の被写体像を画像データから抽出するステップと、抽出された被写体像を表示するステップと、表示された被写体像の指定を受け付けることによって画像データを記録するステップと、を含む。
【発明の効果】
【００２８】
この発明によると、撮影の開始前、撮影素子から継続的に得られる被写体像の画像データ（いわゆるスルー画像）と、所望の被写体像に関する情報とを照合することで、所望の被写体像の画像データが得られているか否かを判断し、この画像データが得られている場合は、その被写体像を画像データから抽出して表示する。ユーザはこれを見て、所望の被写体像の画像データが得られていることを確認できる。そして、所望の被写体像が確認できれば、レリーズボタンを全押したり、あるいは表示されている所望の被写体像をタッチ指示することで、撮影指示を入力し、所望の被写体の画像データを記録することができる。
【００２９】
本発明では従来技術と異なり、撮影前に所望の被写体の画像データが得られているか否かをユーザが視覚的に確認できるし、またこの確認結果に応じて任意に画像データ記録の許否を決定できる。
【発明を実施するための最良の形態】
【００３０】
図１は本発明の好ましい実施形態に係るカメラのブロック図である。
【００３１】
撮像レンズ１０には、レンズモータが接続されている。また、絞り３１には、アイリスモータが接続されている。これらのモータはステッピングモータからなり、ＣＰＵ３３に接続されたモータドライバ３０、３２から送信される駆動パルスにより動作制御され、レリーズボタン１２の半押しに伴う撮影準備処理を行う。
【００３２】
レンズモータは、ズーム操作ボタンの操作に連動して、撮像レンズ１０のズームレンズをワイド側、あるいはテレ側に移動させる。また、ズームレンズの変倍などに応じて撮像レンズ１０のフォーカスレンズ（図示せず）を移動させ、撮影条件が最適となるように焦点調整を行う。アイリスモータドライバ３２は、絞り３１を動作させ、露出調整を行う。
【００３３】
撮像レンズ１０の背後には、撮像レンズ１０によって結像された被写体像を光電変換するＣＣＤ３６が配置されている。ＣＣＤ３６には、ＣＰＵ３３によって制御されるタイミングジェネレータ（ＴＧ）３７が接続され、このＴＧ３７から入力されるタイミング信号（クロックパルス）により、電子シャッタのシャッタ速度が決定される。
【００３４】
ＣＣＤ３６から出力された撮像信号は、相関二重サンプリング回路（ＣＤＳ）３８に入力され、ＣＣＤ３６の各セルの蓄積電荷量に正確に対応したＲ、Ｇ、Ｂの画像データとして継続的に出力される。ＣＤＳ３８から出力された画像データは、増幅器（ＡＭＰ）３９で増幅され、Ａ／Ｄ変換器（Ａ／Ｄ）４０でデジタルの画像データに変換される。
【００３５】
画像入力コントローラ４１は、バス４２を介してＣＰＵ３３に接続され、ＣＰＵ３３の制御命令に応じて、ＣＣＤ３６、ＣＤＳ３８、ＡＭＰ３９、およびＡ／Ｄ４０を制御する。Ａ／Ｄ４０から出力された画像データは、ＳＤＲＡＭ４３に一時記録される。
【００３６】
色補正部４５は、ＳＤＲＡＭ４３から画像データを読み出して、水深や被写体との距離に応じて異なってくる色吸収を補正し、補正後の画像データをＳＤＲＡＭ４３に保存する。これにより、青みかかった被写体を真の自然発色に近い状態に補正する。なお、被写体が青くなるのは、太陽から出る可視光線のうち、波長の長い赤は水深２メートルあたりで水に吸収されてしまうのに対し、青は吸収されないからである。
【００３７】
画像信号処理回路４４は、ＳＤＲＡＭ４３から画像データを読み出して、階調変換、ホワイトバランス補正、γ補正処理などの各種画像処理を施し、この画像データを、輝度信号Ｙと色差信号Ｃｒ、Ｃｂとに変換する。
【００３８】
ＶＲＡＭ４６は、タッチパネル２２ｂの積層された画像表示装置（ＬＣＤ）２２ａに画角確認用のスルー画像を継続的に出力するためのメモリであり、画像信号処理回路４４を経た画像データが格納される。ＶＲＡＭ４６には、画像データの書き込みと読み出しを並行して行えるように、２フレーム分のメモリ４６Ａ、４６Ｂが確保されている。ＶＲＡＭ４６に格納された画像データは、ビデオエンコーダ４７でアナログのコンポジット信号に変換され、ＬＣＤ２２ａにスルー画像として表示される。
【００３９】
圧縮伸長処理回路４８は、ＹＣ変換された画像データに対して、所定の圧縮形式（例えばＪＰＥＧ形式）で画像圧縮を施す。圧縮された画像データは、メディアコントローラ４９を経由して記録メディア５０に記憶される。
【００４０】
ＣＰＵ３３には、前述のレリーズボタン１２、操作部２３の他に、ＥＥＰＲＯＭ５１が接続されている。ＥＥＰＲＯＭ５１には、各種制御用のプログラムや設定情報などが記録されている。ＣＰＵ３３は、これらの情報をＥＥＰＲＯＭ５１から作業用メモリであるＳＤＲＡＭ４３に読み出して、各種処理を実行する。
【００４１】
バス４２には、露出量、すなわち電子シャッタのシャッタ速度、および絞り３１の絞り値が撮影に適切か否かを検出するとともに、ホワイトバランスが撮影に適切か否かを検出するＡＥ／ＡＷＢ検出回路５２と、撮像レンズ１０の焦点調整が撮影に適切か否かを検出するＡＦ検出回路５３とが接続されている。
【００４２】
ＡＥ／ＡＷＢ検出回路５２は、ＹＣ変換された画像データの輝度信号Ｙと色差信号Ｃｒ、Ｃｂとの積算値を元に、露出量、およびホワイトバランスの適否を検出し、この検出結果をＣＰＵ３３に送信する。ＣＰＵ３３は、ＡＥ／ＡＷＢ検出回路５２から送信された検出結果に基づいて、撮像レンズ１０、絞り３１、およびＣＣＤ３６の動作を制御する。
【００４３】
ＡＦ検出回路５３は、Ａ／Ｄ４０でデジタル化された画像データから画像の鮮鋭度を表すフォーカス評価値を算出し、この算出結果をＣＰＵ３３に送信する。フォーカス評価値は、画像の特定のエリア、例えば、撮影画角の中央部分の画像データに対して、バンドパスフィルタなどで輪郭抽出処理を施し、これにより抽出した輪郭信号、および中央部分の画像データの輝度値を積算することで得られる。ここで、フォーカス評価値が大きいほどその部分の高周波成分が多く、その部分が合焦状態にあることを表している。
【００４４】
ＣＰＵ３３は、レリーズボタン１２の半押しに伴う撮影準備処理時に、そのときのズームレンズの位置からフォーカスレンズの合焦位置の探索範囲を決定し、モータドライバ３０を介して撮像レンズ１０の動作を制御して、決定した探索範囲内で、フォーカスレンズを例えば近点側から遠点側に移動させ、そのときＡＦ検出回路５３から順次送信されるフォーカス評価値の大小を比較することで、フォーカス評価値が最大となる位置、つまり合焦位置でフォーカスレンズを停止させる。
【００４５】
図２は、カメラが実行する登録処理の流れを示すフローチャートである。
【００４６】
Ｓ１では、魚など所望の被写体像を示すデータ（典型的には画像データそのものであるが、被写体像の特徴量情報を含んでもよい）と魚の説明などの各種の被写体に関する情報を含む魚情報を記録した記録メディア５０を所定のメディアスロットに挿入し、メディアコントローラ４９は、該記録メディア５０を認識する。
【００４７】
魚情報の取得元は、記録メディア５０に限らず、ＣＤ−ＲＯＭ、パソコン、Ｗｅｂサイトなどであってもよい。
【００４８】
Ｓ２では、カメラを再生モードに切り替える（図１のＳＷ２−２の接点を選択）。
【００４９】
Ｓ３では、メディアコントローラ４９は、該記録メディア５０から魚情報を読み取り、ＶＲＡＭ４６に格納する。ビデオエンコーダ４７は、各魚情報に含まれる魚の被写体像を順次コンポジット信号に変換してＬＣＤ２２ａに出力する。こうすることで魚の映像が順に再生される（図３参照）。
【００５０】
Ｓ４では、ユーザは、画像表示装置２２ａに撮りたい魚の映像が出たことに応じ、タッチパネル２２ｂから、撮りたい魚を確定する信号を入力する。ＣＰＵ３３は、この信号が入力されたか否かを繰り返し判断し、入力されたと判断した場合はＳ５、入力されていないと判断した場合はＳ３に移行する。
【００５１】
図３では、「はい」の部分をタッチすることで撮りたい魚を確定する信号が入力され、Ｓ５に移行する。なお「いいえ」の部分をタッチするとＳ３に移行し、次の魚の被写体像が表示される。
【００５２】
Ｓ５では、確定した魚情報を、ＥＥＰＲＯＭ５１に記録する。
【００５３】
図４はカメラが実行する撮影処理の流れを示すフローチャートである。
【００５４】
Ｓ１１では、カメラを撮影モードに切り替える（図１のＳＷ２−１の接点を選択）。これに応じてＬＣＤ２２ａのスルー画像の表示が開始する。
【００５５】
Ｓ１２では、画角を撮りたい魚に合わせる。ＣＰＵ３３は、スルー画像から魚の映像部分を抽出し、抽出された魚の映像部分と、登録処理で登録された魚情報に含まれる魚の被写体像（もしくはその特徴量）とを照合する。魚の映像部分と登録された被写体像とを照合して抽出する方法は任意であり、公知の物体認識技術を応用すればよい。
【００５６】
Ｓ１３では、レリーズボタン１２の半押しを検知する。
【００５７】
Ｓ１４では、抽出された魚の映像部分と登録された魚の被写体像とが一致するか否かを判断する。両者が一致する場合はＳ１５、両者が一致しない場合はＳ１３に移行する。
【００５８】
Ｓ１５では、抽出された魚の映像をＬＣＤ２２ａに拡大表示する。
【００５９】
Ｓ１６では、レリーズボタン１２の全押しを検知する。
【００６０】
Ｓ１７では、レリーズボタン１２の全押し検知に応じて取得された記録用画像データである元画像を、圧縮静止画像データとして記録メディア５０に記録する。
【００６１】
この処理によると、ユーザは、自分が撮りたいと思って予め登録しておいた魚と同じ種類の魚を画角に捉えたことを、拡大された魚の映像により容易に知ることができ、これに応じて画像記録の指示（レリーズボタン１２の全押し）を開始できる。
【００６２】
＜第２実施形態＞
図５は第２実施形態に係る撮影処理の流れを示すフローチャートである。
【００６３】
Ｓ２１では、撮影モードを設定する。これに応じてＬＣＤ２２ａのスルー画像の表示が開始する。
【００６４】
Ｓ２２では、レリーズボタン１２の半押しに応じ、魚の映像部分の抽出を開始する。
【００６５】
Ｓ２３では、抽出された魚の映像部分と登録された魚の被写体像とが一致するか否かを判断する。両者が一致する場合はＳ２４、両者が一致しない場合はＳ２２に移行する。
【００６６】
Ｓ２４では、抽出した魚の映像部分を含む区画を、点滅あるいは反転するなどの方法により強調して表示する。図６に例示するように、画面は、予め縦横４等分されるなどして区画化されており、各区画の外縁には、実線が付されており、各々区別可能になっている。かつ、抽出した魚の映像部分を含む区画は、点滅表示（図６（ａ））や背景色の反転表示（図６（ｂ））がされ、視覚的に容易に識別可能になっている。
【００６７】
Ｓ２５では、タッチパネル２２ｂが、強調表示された魚の映像部分を含む区画のタッチ選択を受け付ける。すなわち、タッチ選択可能な部分が魚の映像部分そのものよりも大きくなっており、撮影者が手袋を装着していても、また所望の魚の動きが早い場合でも、正確なタッチ操作を簡単にできる。
【００６８】
Ｓ２６では、タッチパネル２２ｂが魚の映像部分を含む区画のタッチ選択を受け付けたことに応じ、タッチされた区画を拡大表示する（図６（ｃ））。これによってどの区画がタッチされたのかが容易に分かる。
【００６９】
Ｓ２７では、拡大された区画に対し、所定の時間内（例えば０．５秒間）に２回目のタッチがされたか否かを判断する。所定の時間内に２回目のタッチがされた場合はＳ２８、タッチがされない場合はＳ２２に移行する。２回目のタッチはダブルタッチであってもよい。
【００７０】
Ｓ２８では、２回目のタッチ検知に応じて取得された記録用画像データである元画像を、圧縮静止画像データとして記録メディア５０に記録する。拡大された区画に相当するデータを記録用画像データからトリミングした上、画像全体とトリミングされた拡大画像の両方を対応づけて記録メディア５０に記録してもよい。こうすると、どのような被写体像を目的として撮影したのか、後から想起しやすい。
【００７１】
なお、拡大された区画に対し、所定の時間内に２回目のタッチがされた場合、自動的に連写を開始し、拡大された区画に対し、３回目のタッチがされた場合、自動的に連写を終了してもよい。こうすれば、魚など動きの速い被写体が横を向いたときなど良好な状態で撮影するのが困難な場合に有効である。
【００７２】
＜第３実施形態＞
色補正部４５による色補正は、次のようにして行う。
【００７３】
図７は色補正処理の流れを示すフローチャートである。
【００７４】
Ｓ３１では、海中など現在の撮影状況における色状態を示す基準となるダミー画像の撮影を行う。ダミー画像には魚などの被写体は入れない方が好ましい。
【００７５】
Ｓ３２では、ＶＲＡＭ４６より読み出したダミー画像の画像データから色成分の赤Ｒ、緑Ｇ、青Ｂの出力が取り出され、色分布（Ｒ／Ｇに対するＢ／Ｇの分布）が算出され、この色分布を解析して色温度（青み）が推定（図９（ａ）参照）される。
【００７６】
Ｓ３３では、レリーズボタン１２の全押しに応じて、記録用の静止画像データである元画像（図８（ａ）参照）を取得し、記録する。
【００７７】
Ｓ３５では、再生モードに切り替える（図１のＳＷ２−２側を選択）。
【００７８】
Ｓ３６では、色補正部４５は、色分布の解析による青み推定結果に基づいて、ＥＥＰＲＯＭ５１に記憶された、赤Ｒ、緑Ｇ、青Ｂの補正係数α、β、γを選択する。そして、元画像の赤Ｒ、緑Ｇ、青Ｂの出力に係数α、β、γを乗じ、全体として自然な色合いの補正画像データを得る（図９（ｂ）参照）。そして、ＬＣＤ２２ａは、この補正後の元画像を再生する（図８（ｂ）参照）。色補正した画像データは、ユーザの指示に応じ、色補正していない画像データと対応づけて記録するとよい。なお、マニュアルで補正係数を選択できるようにしてもよい。  
【００７９】
図１０は色補正処理の流れの他の一例を示すフローチャートである。
【００８０】
Ｓ４１では、ダミー画像の撮影を行う。ダミーとなる画像には、これから撮ろうとする魚などの被写体像を入れる必要はないが、色補正の基準とするから、白またはグレーのボードを被写体像にすることが望ましい。このボードはダイビング用のメッセージボードと兼用してもよい。
【００８１】
Ｓ４２では、ダミー画像の色分布を解析し、青みを推定する。
【００８２】
Ｓ４３では、再生モードに切り替える。色補正部４５は、ダミー画像データの赤Ｒ、緑Ｇ、青Ｂの出力に係数α、β、γを乗じ、この画像データを再生する。
【００８３】
Ｓ４４では、レリーズボタン１２の全押しに応じて記録用の静止画像データを取得する。なおＳ４４以降は、レリーズボタン１２の全押しがなければ行う必要はない。
【００８４】
Ｓ４５では、静止画像データの赤Ｒ、緑Ｇ、青Ｂの出力に係数α、β、γを乗じ、この画像データを再生する。色補正した画像データは、ユーザの指示に応じ、色補正していない画像データと対応づけて記録してもよい。
【００８５】
こうすると、図７の補正処理とは異なり、ダミー画像の補正の様子を撮影の前に確かめることができる。
【００８６】
＜第４実施形態＞
図１１は元画像とその画像ファイル名の一例を示している。
【００８７】
例えば「Ａ」という名前の魚を撮影した場合、広角の元画像を「ＫＯＵ＊＊＊Ａ」、トリミングされた拡大画像を「ＺＯＯＭ＊＊＊Ａ」というファイル名のように、魚情報に含まれた魚の名前を共通して付与することで、両者を関連づける。なお、元画像と拡大画像とを同一のフォルダに格納することで関連づけてもよい。
【００８８】
図１２は記録メディア５０における画像ファイルの格納ディレクトリ構造を概念的に示している。
【００８９】
静止画像全般を分類・格納するサブディレクトリ「１００＿ｆｕｊｉ」の下に、「Ａ」という魚の名前に対応したディレクトリを作成し、その下の階層に、補正係数を乗じる前の広角の元画像「ＫＯＵ＊＊＊Ａ」と、拡大画像をトリミングした画像（抽出画像）「ＺＯＯＭ＊＊＊Ａ」とを格納する。さらに、ディレクトリ「１００＿ｆｕｊｉ」の下に、登録した魚の画像、魚の名前など魚に関する情報を、一緒に格納してもよい。
【００９０】
このようなサブディレクトリを、元画像ごとに作成することで、元画像と抽出画像とを関連づけることができる。
【００９１】
＜第５実施形態＞
図１３は連続撮影（連写）された各画像を同一の画面で並べて再生するマルチ画面の一例を示す。
【００９２】
この画面は、複数の元画像を、同一のサイズでタイル状に並べて一挙に表示する。この中から所望の複数の元画像をタッチ選択すると、選択された画像を点滅あるいは反転するなどして強調表示する。そして、選択された元画像のみ記録する。こうすることで、連写した画像のうち、必要な画像だけ残す。
【００９３】
図１４はこの処理（選択画像記録処理）の詳細な流れを示すフローチャートである。
【００９４】
Ｓ５１では、複数の元画像を同一の画面で並べて再生する（図１３）。
【００９５】
Ｓ５２では、ユーザのタッチ操作に応じて元画像を選択する。
【００９６】
Ｓ５３では、選択された画像のエリアを点滅や反転するなどして強調表示する。図１３では「３」、「４」、「９」の画像が選択され、強調表示されている。
【００９７】
Ｓ５４では、選択した画像を同一のディレクトリに格納することを確定してよいか否か、ユーザに入力させる。ユーザから、選択した画像の格納を確定する旨が入力された場合はＳ５５、確定する旨が入力されない場合はＳ５２に進む。
【００９８】
Ｓ５５では、選択された元画像のみを、記録メディア５０に記録する。選択された元画像には、元画像と一致する魚情報や、元画像からトリミングされた拡大画像を関連づけて記録してもよい（図１２）。
【００９９】
なお、図１５に示すように、ユーザの選択に応じて、元画像（図１５（ａ））、登録画像および魚情報（図１５（ｂ））、登録画像のみ（図１５（ｃ））を順次切り替えて再生表示してもよい。
【０１００】
＜第６実施形態＞
図１６に示すように、より魚が大きく写った画像を優先的に記録するのを容易にするため、魚の大きさが大きいものから優先的に強調してマルチ画面に表示し、その中から元画像をタッチ選択させてもよい。
【０１０１】
図１７は第６実施形態に係る撮影処理の流れを示すフローチャートである。
【０１０２】
Ｓ６１では、撮影モードに切り替える。
【０１０３】
Ｓ６２では、自動的に連写をする。上述したように、連写は、所定時間内に拡大表示された区画をタッチ操作することで開始し、再び該区画をタッチ操作することで終了する。
【０１０４】
Ｓ６３では、連写された各画像に含まれる魚の被写体像の面積を計算する。
【０１０５】
Ｓ６４では、魚の被写体像のうち面積の大きいものから所定の数だけ（例えば上位３つ）を選別する。
【０１０６】
Ｓ６５では、全ての元画像を同一の画面内でマルチ表示する。合わせて、Ｓ６４で選別された元画像については、枠をつけたり点滅させたりして強調表示する（図１６）。
【０１０７】
Ｓ６６では、所望の元画像をタッチ選択させる。
【０１０８】
Ｓ６７では、タッチ選択された元画像、その元画像と一致する映像を含む魚情報を、同一のフォルダに格納する。
【０１０９】
こうすれば、自動的に連写された画像の中から、被写体像が大きく写っているものを容易に選別して記録することができる。
【０１１０】
＜第６実施形態＞
上記実施形態の「魚情報」とは、例示にすぎず、被写体像および被写体に関するその他の情報を含んでいれば何でもよい。従って、撮影したい被写体が人物や物体であれば、その人物や物体の映像およびその人物や物体の名称などの各種情報を含んだ被写体情報を、魚情報の代わりに登録しておけばよい。
【０１１１】
被写体情報に人物の顔情報が含まれている場合、従来の顔認識技術を応用して、元画像と顔情報とを照合し、スルー画から抽出された顔部分と登録された顔情報とが一致するか否かを判断すればよい。
【図面の簡単な説明】
【０１１２】
【図１】デジタルカメラのブロック図
【図２】登録処理の流れを示すフローチャート
【図３】魚情報に含まれる魚の映像が表示された様子を例示した図
【図４】第１実施形態に係る撮影処理の流れを示すフローチャート
【図５】第２実施形態に係る撮影処理の流れを示すフローチャート
【図６】検出した魚の映像部分を含む区画を強調表示した様子を例示した図
【図７】色補正処理の流れを示すフローチャート
【図８】補正前の元画像および補正後の元画像の一例を示す図
【図９】補正前の色分布および補正後の色分布の一例を示す図
【図１０】色補正処理の流れの他の一例を示すフローチャート
【図１１】画像ファイルに圧縮記録される元画像とその画像ファイル名の一例を示す図
【図１２】記録メディアにおける画像ファイルの格納ディレクトリ構造を概念的に示した図
【図１３】複数の元画像を同一の画面で並べて再生した様子を例示する図
【図１４】選択画像記録処理の流れを示すフローチャート
【図１５】ユーザの選択に応じて表示内容を切り替えて表示した様子を例示する図
【図１６】大きい被写体を優先的に強調してマルチ画面に表示した様子を例示する図
【図１７】第６実施形態に係る撮影処理の流れを示すフローチャート
【符号の説明】
【０１１３】
１０：撮像レンズ、２２ａ：画像表示装置、２２ｂ：タッチパネル、３３：ＣＰＵ、３６：ＣＣＤ、４０：Ａ／Ｄ変換部、４４：画像信号処理回路、４５：色補正部、４７：ビデオエンコーダ、４８：圧縮処理回路、５０：記録メディア
【図１】
2008078802.tif 000003
【図２】
2008078802.tif 000004
【図３】
2008078802.tif 000005
【図４】
2008078802.tif 000006
【図５】
2008078802.tif 000007
【図６】
2008078802.tif 000008
【図７】
2008078802.tif 000009
【図８】
2008078802.tif 000010
【図９】
2008078802.tif 000011
【図１０】
2008078802.tif 000012
【図１１】
2008078802.tif 000013
【図１２】
2008078802.tif 000014
【図１３】
2008078802.tif 000015
【図１４】
2008078802.tif 000016
【図１５】
2008078802.tif 000017
【図１６】
2008078802.tif 000018
【図１７】
2008078802.tif 000019